(57)【特許請求の範囲】
【請求項１】
一側部に装入口を開口させた装着空間が形成され、且該装着空間に連通する係止孔が形成された電子機器本体と、電源電池を収載して前記装着空間内に嵌挿される電池ホルダを有し、該電池ホルダは電源電池を把持する２股状のアームを有し、該アームの一方の先端より弾性的に延出される係合片の先端部に係止突部を突設し、該係止突部が弾性により前記係止孔に嵌脱可能とし、前記係止突部の先端面又は前記係止孔壁面に傾斜面を形成し、前記先端面と前記係止孔壁面とにより奥に向って次第に狭められる楔状の空間を形成し、該楔状の空間に解放取出し治具の先端部を挿入可能とすると共に該先端部が傾斜表面の外周部を有し、該外周部が前記先端面と前記係止孔壁面とに当接可能であり、前記楔状の空間に先端部を押込むことで前記係止突部に前記係止孔から外れる方向の変位と、前記電池ホルダが前記装着空間から突出される方向の変位が与えられる様構成したことを特徴とする携帯用電子機器。
【請求項２】
前記係止突部の先端と該先端に対峙する係止孔の壁面との間に間隙が形成された請求項１の携帯用電子機器。
【発明の詳細な説明】
【０００１】
【発明の属する技術分野】
本発明は、内蔵電源としての駆動用電源電池、特にコイン型電池を交換可能にする携帯用電子機器の電池ホルダ収納構造に関するものである。
【０００２】
【従来の技術】
一般に、この種の携帯用電子機器では、内部にコイン型電池が装填された電池ホルダを押込み係着並びに解放引出し可能に具備しており、該電池ホルダを外部に取出した状態で、電池収載部に所要の駆動用電源電池（以下、単に電源電池という）を収載させると共に、電子機器本体内に一側部から該電池ホルダを押込んで係着保持させて使用し、且電源電池が消耗した場合は係着状態を一旦解放させて該電池ホルダを外部に引出すことにより、前記収載した電源電池を新しい電源電池に交換する様にしている。
【０００３】
この種のカード型電子機器の従来例による電池ホルダの概略構成と電源電池の交換手順を図５〜図９に於いて説明する。
【０００４】
カード型電子機器１は、電子機器本体２の一側部（図５では前方側）に装入口４を開口した電池ホルダ６の装着空間３を有しており、且装着空間３での最奥部の片側に対応する電子機器本体２の裏面に係止角孔５を穿設してある。前記電池ホルダ６の中央部には、コイン形状をした電源電池７を収載する電池収載部８がアーム１０ａ，１０ｂにより形成され、該アーム１０ａ，１０ｂの先端にそれぞれ係合片１１ａ，１１ｂを弾性的に延設し、一方の係合片１１ｂの先端上面に前記係止角孔５に嵌合して係着される係止突部１２を形成し、該係止突部１２の上面に操作凹部１３を凹設してある。前記電池ホルダ６の前面側には挿脱時の手掛り用として舌片部９が形成されている。
【０００５】
電池ホルダ６の電池収載部８に電源電池７を収載させた後に、該電池ホルダ６の舌片部９に加える押圧力により電子機器本体２の装入口４から内部の装着空間３に向け、各係合片１１ａ，１１ｂを弾性に抗して下方へ撓める様にしたままで押込む。電池ホルダ６が最終的に収納された位置で、一方の係合片１１ｂの上端部係止突部１２が上方への弾性復元力で係止角孔５に嵌合して係着されるもので、この様にして電子機器本体２内に電池ホルダ６、延いては電源電池７を収納させる。
【０００６】
一方、前記電源電池７の使用に伴う電力消耗により、該電源電池７が寿命に達した場合、これを新しい電源電池７ａに交換する為には、先ず、図５（Ａ）及び図６に示す様に、例えば、シャープペン，ボールペン２０等の比較的尖鋭な先端部２１等を利用して、電子機器本体２の係止角孔５に嵌合している係止突部１２の上面操作凹部１３を再度弾性に抗して下方へ押込み、同時に舌片部９に指を掛けて電池ホルダ６を引出す。続いて、図５（Ｂ）及び図７に示す様に、外部に取出した電池ホルダ６の電池収載部８に収載されている消耗電源電池７を新しい電源電池７ａに交換する。その後、図５（Ｃ）に示す様に、新しい電源電池７ａに替えた電池ホルダ６を前述したと同様に電子機器本体２の装着空間３に装着させる。
【０００７】
【発明が解決しようとする課題】
上記従来例による携帯用電子機器の電池ホルダ収納構造に於いては、電子機器本体２の係止角孔５に係着された係合片１１ｂの係止突部１２を押下げて係着を解放する操作が、単に電池ホルダ６の係着解放作用を得るのみで、該電池ホルダ６を外部側前方へ押出す作用をもたない為、前記係止突部１２を押下げた状態を保って前記舌片部９に指を引掛け引出していた。この為作業が煩雑であるという問題を有していた。
【０００８】
本発明は、上記実情に鑑み、電子機器本体の装着部に対する電池ホルダの係着及び引出しを簡単な操作によって容易に行い得る様にしようとするものである。
【０００９】
【課題を解決するための手段】
本発明は、一側部に装入口を開口させた装着空間が形成され、且該装着空間に連通する係止孔が形成された電子機器本体と、電源電池を収載して前記装着空間内に嵌挿される電池ホルダを有し、該電池ホルダは電源電池を把持する２股状のアームを有し、該アームの一方の先端より弾性的に延出される係合片の先端部に係止突部を突設し、該係止突部が弾性により前記係止孔に嵌脱可能とし、前記係止突部の先端面又は前記係止孔壁面に傾斜面を形成し、前記先端面と前記係止孔壁面とにより奥に向って次第に狭められる楔状の空間を形成し、該楔状の空間に解放取出し治具の先端部を挿入可能とすると共に該先端部が傾斜表面の外周部を有し、該外周部が前記先端面と前記係止孔壁面とに当接可能であり、前記楔状の空間に先端部を押込むことで前記係止突部に前記係止孔から外れる方向の変位と、前記電池ホルダが前記装着空間から突出される方向の変位が与えられる様構成した携帯用電子機器に係り、又前記係止突部の先端と該先端に対峙する係止孔の壁面との間に間隙が形成された携帯用電子機器に係り、前記係止孔内に前記係止突部が係着された状態で、該係止突部の操作傾斜面と係止孔の壁面との間に解放取出し治具を押入させることにより、前記係止孔に対する係止突部の係着が解放され、同時に該係止突部、延いては電池ホルダの一部が外部に押出されることになる。
【００１０】
【発明の実施の形態】
以下、本発明に係る電池ホルダの取出し構造の実施の形態を図１〜図３に基づいて詳細に説明する。
【００１１】
各図に於いて、前述した従来例の各図と同一符号は同一又は相当部分を示している。
【００１２】
本実施の形態に於けるカード型電子機器１と、該カード型電子機器１の装着空間３に押込み係着並びに解放引出し可能に装着される電池ホルダ６との各構成は、前述した従来例構成と比較して、係止角孔５に嵌合して係着保持される係止突部１２の形態が異なる点を除いて同様に構成されている。
【００１３】
ここで、本実施の形態に於ける前記係止突部１２は、該係止突部１２の操作凹部１３に対応する後半部が露出端面側から次第に狭められる様に傾斜する解放用操作傾斜面１４を形成されたものである。而して、解放用操作傾斜面１４と係止角孔５の後方側内縁面５ａとの間に楔状の空間が形成される。
【００１４】
前記係止角孔５に係止突部１２を係着して電池ホルダ１６を保持させた状態で、従来の場合と同様にシャープペン，ボールペン２０等の比較的尖鋭な先端部２１、特に、該先端部２１に至る外周部の傾斜表面２２を活用することにより、該係着状態にある係止突部１２、延いては電池ホルダ１６の解放と、該電池ホルダ１６の装入口４からの自動的な一部突出とを同時になし得る様にするのである。
【００１５】
次に、上記係着解放と一部突出との操作を図１（Ａ）〜（Ｄ）を参照してより具体的に説明する。
【００１６】
前記カード型電子機器１の電子機器本体２に形成されている装着空間３に対し、前記電源電池７を収載する電池ホルダ１６を嵌挿して係着保持させた態様は、図１（Ａ）に示す通りである。即ち、電池収載部８に電源電池７を収載させた電池ホルダ１６を舌片部９に加える押圧力により電子機器本体２の装入口４から内部の装着空間３に向け、各係合片１１ａ，１１ｂを弾性に抗して下方へ撓める様にしたままで押込むことにより、一方の係合片１１ｂの上端部に形成された係止突部１２が上方への弾性復元力で係止角孔５に嵌合する。この係着保持状態は、係止角孔５の後方側内縁面５ａに対向して係止突部１２の解放用操作傾斜面１４が角度αで開口傾斜されると共に、該係止突部１２の撓み状態からの復帰及び以下に述べる係着状態からの再度の撓み作用を円滑になし得る様にする為に、該後方側内縁面５ａとの間に所要の間隙βが存在している。
【００１７】
続いて、前記電池ホルダ１６の係着保持状態に於いて、該電池ホルダ１６の係着を解放し、且その前方一部を装入口４から自動的に突出させる操作は次の様に行われる。
【００１８】
先ず、図１（Ｂ）に示す様に、前記角度αによる開口傾斜部分の上方に解放取出し治具としてのボールペン２０等の先端部２１、延いては外周部の傾斜表面２２を位置させる。引続き、図１（Ｃ）に示す様に、係止突部１２の解放用操作傾斜面１４と係止角孔５の後方側内縁面５ａとの間に該先端部２１の部分を押込み操作することにより、係合片１１ｂが弾性に抗して内部側へ撓められ、係止突部１２が下方へ移動して係着が次第に外れ始める。そして、押込み操作の最終段階では、図１（Ｄ）に示す様に、係止角孔５から係止突部１２が外れて係着状態が解放されると共に、係止角孔５の後方側内縁５ａの上縁を支点にして、該後方側内縁面５ａと解放用操作傾斜面１４との間に生ずる直角方向への推力により、該解放用操作傾斜面１４側の押出し、換言すると、電池ホルダ１６の前方側の一部が装入口４から自動的に突出されることになる。而して、係着解放と一部突出とが同時に行われる。
【００１９】
又一方では、前記係合片１１ｂに設定する断面形状及び解放用操作傾斜面１４の傾斜を選択することによって、解放取出し治具としてのボールペン２０等による上下方向の押込み力及び横方向の推力を任意に加減できる。
【００２０】
尚、上記実施の形態例に於いては、解放取出し治具にボールペン２０等を用いているが、その他のシャープペンシル等の同等部材を用いても同様な作用が得られる。尚、係止角孔５は長円形状等であってもよい。
【００２１】
次に図４に於いて他の実施の形態について説明する。
【００２２】
該他の実施の形態では、係止片１１ｂ、係止突部１２を従来例と同形状とし、係止角孔１８の前記係止突部１２に対峙する後方内縁面１８ａを前記係止突部１２の上面に向かって該係止突部１２より離反する方向に傾斜させたものである。
【００２３】
本実施の形態に於いても係止突部１２と後方内縁面１８ａとの間にボールペン２０等の先端部２１を差込むことで、前記係止突部１２が押込まれると共に前記先端部２１が後方内縁面１８ａより受ける推力により、前記係止突部１２が係止角孔１８より外れると共に、電池ホルダ１７が前方に押出される。而して、本実施の形態に於いてもボールペン２０等を押込むという１動作で前記係止突部１２の前記係止角孔１８からの離脱と前記電池ホルダ１７の押出しを同時に行なえる。
【００２４】
【発明の効果】
以上述べた如く本発明によれば、係止突部の非係着面側で係止角孔の内縁面に対向する部分に、露出端面側から次第に狭められて傾斜する解放用操作傾斜面を形成したので、係止角孔内に係止突部が係着された状態で、これらの係止突部の解放用操作傾斜面と係止角孔の内縁面との間に解放取り出し治具を押入させることにより、係止角孔に対する係止突部の係着を容易に解放できると共に、解放操作時に作用する推力によって電池ホルダの一部を外部に押出すことができる。
【００２５】
又、上記取出し構造は、単に係止突部に操作傾斜面を形成させるだけの極めて簡単且単純な構造で済む為に、所要部品点数が増加することもなく、床面等に落とした場合に於ける本体ケースからの電池ホルダ外れ、及び電池ホルダ自体の耐衝撃性も十分に確保される他、構造自体が簡単であることから容易に実施でき、更に電池ホルダの取出しが、ボールペン等の先端部の差込みだけのワンタッチで行なえ、作業性が著しく向上する等の優れた効果を発揮する。
【図面の簡単な説明】
【図１】本発明の実施の形態を適用した電池ホルダの取出し構造並びに係着状態から係着解放までの操作態様を順次に示すもので、（Ａ）は電子機器本体に対して電池ホルダを係着した状態、（Ｂ）は係着解放操作の待機状態、（Ｃ）は係着解放操作の開始時点の状態、（Ｄ）は係着解放操作の終了時点の状態をそれぞれに示す断面模式図である。
【図２】同前実施の形態による電池ホルダの斜視図である。
【図３】図２に於ける係合片先端の係止突部を示すもので、（Ａ）は前方内側から見た拡大斜視図、（Ｂ）は後方外側から見た拡大斜視図である。
【図４】本発明の他の実施の形態を示す断面図である。
【図５】従来例のカード型電子機器に対する電池ホルダの装着手順を順次に示すもので、（Ａ）は電子機器本体内から電池ホルダの係着を解放して外部に引出す状態、（Ｂ）は取出された電池ホルダに対する電源電池の交換状態、（Ｃ）は電源電池の交換後に電子機器本体内に電池ホルダを押込んで係着させる状態をそれぞれに示す斜視図である。
【図６】図５（Ａ）に対応して電池ホルダの係着を解放する態様を拡大して示す断面模式図である。
【図７】図５（Ｂ）に対応して電池ホルダに対する電源電池の交換態様を拡大して示す斜視図である。
【図８】従来例の電池ホルダを示す斜視図である。
【図９】図８に於ける係合片先端の係止突部を示すもので、（Ａ）は前方内側から見た拡大斜視図、（Ｂ）は後方外側から見た拡大斜視図である。
【符号の説明】
１          カード型電子機器
２          電子機器本体
３          装着空間
４          装入口
５          係止角孔
５ａ        後方側内縁面
７          電源電池
８          電池収載部
９          舌片部
１１        係合片
１２        係止突部
１４        解放用操作傾斜面
１６        電池ホルダ
１７        電池ホルダ
１８        係止角孔
１８ａ      後方側内縁面
２０        ボールペン
２１        先端部
２２        傾斜表面
【図１】
0003734325.tif 000002
【図２】
0003734325.tif 000003
【図３】
0003734325.tif 000004
【図４】
0003734325.tif 000005
【図５】
0003734325.tif 000006
【図６】
0003734325.tif 000007
【図７】
0003734325.tif 000008
【図８】
0003734325.tif 000009
【図９】
0003734325.tif 000010